(57)【要約】  構成可能な光装置は、光素子（１）または直列に配置された様々な光素子（１）を備える。各素子（１）は、光ビームに対する、入口面（２１）および出口面（２２）を有するアクティブ領域（２）と、周辺（３）とを備える。各素子（１）は、少なくとも一つの透明な第一の電極（４）と、少なくとも一つの透明な対向電極（５）とを備え、対応する電気的な接続は、周辺（３）内に配置される。各素子（１）の電極（４，５）間における電位差の印加で、各素子（１）のアクティブゾーン（２）の異なる領域で、転換の度合いを変える電場が生成されるように、装置は構成され、結果、各素子（１）において、変化する光路プロファイルを生成し、各電極に対して印加される電場に依存して、入射光ビームを異なる方法で焦点に集めることができる。【選択図】図２
2022500697.tif 000002
【特許請求の範囲】
【請求項１】
光ビームの入口面（２１）と出口面（２２）とからなるアクティブ領域（２）、および、周辺領域（３）を有する、構成可能な光素子（１）を備え、
前記光素子（１）は、
複数のセクション（４１）に分割された少なくとも一つの透明な第一の電極（４）と、少なくとも一つの透明な対向電極（５）とを、含み、
前記光素子（１）は、
前記電極（４，５）および／または前記セクション（４１）に対する電気接続を、有し、
前記電気接続は、
前記光素子（１）の前記周辺領域（３）に、配置されており、
光装置は、
前記第一の電極（４）の各セクション（４１）と前記対向電極（５）との間の電位差の印加で、前記第一の電極（４）の前記セクション（４１）に対応する領域において、前記光素子（１）の転換の度合いを選択的に変える電場が、それぞれ生成されるように、構成され、よって、前記第一の電極（４）の前記セクション（４１）に印加される電場のパターンに応じて、入射光ビームのトポロジカルチャージおよび焦点を構成する、光路プロファイルを生成し、
前記光装置は、
電場の適切な第一のパターンの印加で、前記光素子（１）の前記光路プロファイルが、第一の焦点距離および第一のトポロジカルチャージを有するらせん回折レンズのそれと対応するように、および、電場の適切な第二のパターンの印加で、前記光素子（１）の前記光路プロファイルが、第二の焦点距離および第二のトポロジカルチャージを有するらせん回折レンズのそれと対応するように、構成されており、
前記対向電極（５）も、複数のセクションに分割され、結果として、両方の電極（４，５）は、各セクションにおいて異なる電場を有するように、および、各セクションにおいて等しい電場を有するように、構成されており、  
前記第一の電極（４）のセクション分布は、前記対向電極（５）のセクション分布とは異なり、よって、前記光装置が、光路プロファイルの二つの独立したセットを生成するために再構成されることを可能とし、異なる方法で、前記トポロジカルチャージおよび入射光ビームの前記焦点を、変化する、
ことを特徴とする構成可能な光装置。
【請求項２】
第一の光素子（１）と、
前記第一の光素子（１）と直列に配置された、第二の光素子（１）とを、備え、
前記第一の光素子（１）は、
セクションに分割されない、前記対向電極（５）を有し、
前記第二の光素子（１）は、
セクションに分割された、前記対向電極（５）を有する、
ことを特徴とする請求項１に記載の構成可能な光装置。
【請求項３】
直列に配置された、二つの光素子（１）を、備える、
ことを特徴とする請求項１に記載の構成可能な光装置。
【請求項４】
１以上の前記光素子（１）における転換材料は、
液晶である、
ことを特徴とする請求項１乃至請求項３の何れか１項に記載の構成可能な光装置。
【請求項５】
１以上の前記光素子（１）の前記転換材料は、
重合性液晶である、
ことを特徴とする請求項１乃至請求項４の何れか１項に記載の構成可能な光装置。
【請求項６】
前記対応する電場の印加で、直列に配置された隣接する前記光素子（１）の前記光路プロファイルが、らせん回折レンズのそれと、対応するように、構成されている、
ことを特徴とする請求項２乃至請求項５の何れか１項に記載の構成可能な光装置。
【請求項７】
前記対応する電場の印加で、直列に配置された隣接する前記光素子（１）の前記光路プロファイルが、らせん位相プレートのそれと、対応するように、構成されている、
ことを特徴とする請求項２乃至請求項５の何れか１項に記載の構成可能な光装置。
【請求項８】
前記対応する電場の印加で、直列に配置された隣接する前記光素子（１）の少なくとも一つの前記光路プロファイルが、らせん回折レンズのそれと、対応するように、および、直列に配置された残りの隣接する前記光素子（１）の少なくとも一つの前記プロファイルが、らせん位相プレートのそれと、対応するように、構成されている、
ことを特徴とする請求項２乃至請求項５の何れか１項に記載の構成可能な光装置。
【請求項９】
二つのらせん回折レンズが、両者の間に間隔を有するように、直列に配置されることにより、両レンズの前記焦点距離が一致し、それらを、調整可能なテレスコープまたはビーム拡大器として機能させることができ、前記トポロジカルチャージおよび前記レンズの焦点を変更し、前記光素子の前記電極の前記セクションに、電場の前記適切なパターンを印加する、
ことを特徴とする請求項６に記載の構成可能な光装置。
【請求項１０】
前記電極（４，５）の一つは、
隣接する前記液晶の前記転換状態に依存して変化することができる、電磁共振周波数を有する構造を、含む、
ことを特徴とする請求項１乃至請求項９の何れか１項に記載の構成可能な光装置。
【請求項１１】
直列に配列された、少なくとも二つの請求項１に記載の光素子（１）を、配置すること、
前記第一の電極（４）の前記セクション（４１）と、各光素子（１）の前記対向電極（５）との間に、電位差のパターンを印加することを、備え、
転換プロファイルおよび、結果として、入射光ビームの前記トポロジカルチャージを変更する前記光素子（１）の前記光路プロファイル、を変える電場を生成する、
ことを特徴とする構成可能な光装置の製造方法。
【請求項１２】
前記光素子（１）は、
電気光学材料として、液晶を用いる、
ことを特徴とする請求項１１に記載の構成可能な光装置の製造方法。
【請求項１３】
前記光素子（１）は、
電気光学材料として、重合性液晶を用い、
固定または部分的に調整可能な位相を有する変化プロファイルを有する、回折装置を得るように、前記重合性液晶を硬化することを、備える、
ことを特徴とする請求項１２に記載の構成可能な光装置の製造方法。
【請求項１４】
二つのらせん回折レンズのそれと対応する隣接する二つの前記光素子（１）の転換プロファイルを生成するように、直列に配置された前記隣接する二つの光素子（１）の電極（４，５）間に、電場を印加することを、備える、
ことを特徴とする請求項１１乃至請求項１３の何れか１項に記載の構成可能な光装置の製造方法。
【請求項１５】
両方の前記らせん回折レンズを、両者の間に間隔を有するように、直列に配置することを、備え、
これにより、両レンズの前記焦点距離が一致し、それらを、調整可能なテレスコープまたはビーム拡大器として機能させることができ、前記レンズの前記トポロジカルチャージを変更する、
ことを特徴とする請求項１４に記載の構成可能な光装置の製造方法。
【発明の詳細な説明】
【技術分野】
【０００１】
この発明は、任意の入射放射の位相プロファイルに半径方向変化を導入することができる、構成可能な（または、再構成可能な）光装置に関する。また、本発明は、前述の構成可能な光装置を製造する方法に関する。
【背景技術】
【０００２】
一般的に使用されているレンズは、光屈折に基づいている。光回折に基づくレンズも、周知であり、トポロジカルチャージないしに（または、ゼロトポロジカルチャージ）、固定された焦点を有する回折レンズである、フレネルレンズとしても知られている。
【０００３】
たとえば、螺旋回折レンズのような、ある種の渦レンズは、技術水準で知られている。螺旋回折レンズは、そのプロファイルにより特徴づけられ、それは、そのトポロジカルチャージにより、および焦点レンズの場合において、その焦点距離により、説明される。
【０００４】
光渦ビームまたは渦は、あまり一般的でなく、一般公衆において周知ではない。渦は、光ビームであり、光の位相は、ビームの中心周りの方位角態様で、空間的に変化する。典型的に、位相は、ビームの中心周りの回転における、２πの整数倍である数で、変化する。２πの整数倍の数は、渦のトポロジカルチャージとして、知られている。
【０００５】
当該特許において定義される要素は、入射ビームのトポロジカルチャージを変化させる、全ての要素である。
【０００６】
同様に、特許文献１に記載されているもののように、螺旋形状および焦点能力を有する、ある種のコンタクトレンズが、知られている。
【０００７】
同様に、構成可能な螺旋位相プレートに関連しているが、不均一な配列に基づいている、特許文献２が知られており、それは、直列にレンズを使用しない。
【０００８】
同様に、液晶セル内の最構成可能な共振ダイポール構成に基づいて、テラヘルツおよびミリ波レンジでの周波数に対する再構成可能なビーム反射アレイを規定する、特許文献３が知られている。
【先行技術文献】
【特許文献】
【０００９】
【特許文献１】米国特許第５４０８２８１号明細書
【特許文献２】米国特許出願公開第２００８／２２６８４４号明細書
【特許文献３】国際公開第２０１２／０８０５３２号
【発明の概要】
【発明が解決しようとする課題】
【００１０】
今日まで、異なる電極に印加される場のみに依存し、ピクセル化された装置内に存するエリアジングなしに、異なる焦点距離を有する螺旋回折レンズを生成するために、一つの同じ受動電極構造を用いる、光装置は知られていない。
【００１１】
今日まで、二つの渦生成構造を直列に組合わせた、光装置は知られていない。本発明のそのような構成の直列での組合せは、単一装置の手段、特に全ての種類の光レンズにより、必要とされるものに従ってその光特徴を校正するとともに、見習う（emulate）ことを可能とする。
【００１２】
より高い曲線因子を有するという追加された利点と共に、その活性部分におけるエリアシングでラッキング（aliasing and lacking)の電子部品を有さず、それ故より多くの光を伝搬する、この種の装置は、空間光変調器（ＳＬＭ）と競合し得る。また、それは、構造的に、電子的に、より短銃であり、それ故より安価である。
【００１３】
本発明は、液晶（ＬＣｓ）の基本的な特性の幾つかの利点、特に、誘電体および光の分子異方性、を取っている。その内部誘電体異方性と組合されたＬＣｓの液体の性質は、巨視的規模において、当該材料は、その最も高い誘電率を提供するそれ自身を、印加された場へ、方向を合わせる傾向がある、ということを意味する。
【００１４】
最も一般的なＬＣｓにおいて、ネマチック、カラミチック液晶、分子は、細長い形状を有する。分子の最も長い軸は、最も高い誘電率の軸および異方性の光軸に、おおよそ対応しており、屈折率楕円体（indicatrix）とも呼ばれる。よって、最大屈折率および最大誘電体率は、分子の最長軸に平行である。これらの材料は、正のＬＣｓと呼ばれる。
【００１５】
負の誘電率異方性を有するＬＣｓが存在し、分子軸は、最大屈折率（屈折率楕円体）および最小の誘電率と、一致する。当該記載において、一軸異方性が想定されており、本発明の全ての関連する液晶（ＬＣ）ケースに対して、近似は有効である。
【００１６】
たとえば、青位相液晶のような他のＬＣ材料において、電場を印加することにより、等方材料は、異方性材料へと変形する。このような場合において、当該指標は、場の方向において上昇し、垂直な方向で減少する、傾向にある。
【００１７】
また、ＬＣｓは、秩序だった液体である。当該Ｌｃｓは、数百μｍに及ぶ分子間粘弾性力により生成された、内部の巨視的な秩序を有し、それらを、外部場なしで、比較的弱い表面相互作用により、配列させることができる。
【００１８】
よって、適切な表面処理の手段により、ＬＣの優先整列を誘発することが可能となり、ＬＣのボリュームが、単距離配置された、平行面を有する、セル内に閉じ込められるという条件で、それは、材料の残りへと伝達される。外部電場を印加することにより、上記整列を最終的に変えることができる。一つの状態と他の状態との間の転換は、整列方向と電場の方向により規定される平面により、決定される。
【００１９】
結果として、屈折率または、ＬＣを通過する光により把握される指標を、印加される電場の手段により、変更することができ、光経路長（ＯＰＬ）または入射光の偏光状態（ＳＯＰ）を、引き起こす。
【００２０】
ＳＯＰの変更は基礎であり、当該基礎において、液晶画面（ＬＣＤｓ）が構築される。ＳＯＰを制御することにより、一つの偏光板または二つの偏光板の助けを用いて、システムを通過する光の量を制御することができる。ＬＣＤは、バックライトされた、または背面ミラーが配設された、ＬＣセルから、通常構成され、その上において、ＬＣセルが、偏光板の間に配置される。セルは、セグメント（英数字ディスプレイ）またはピクセルの矩形マトリックス（たとえば、モバイルフォン、プロジェクタ、およびテレビにより扱われる種）の形の電極に形成される、電気励起システムを有する。
【００２１】
ＯＰＬの変形は、ＬＣレンズ、および、空間光変調器（ＳＭＬ）のような、より包括的なＬＣ光量子装置に対する、基礎である。これらの装置により、入射波面の少なくとも一つの偏光を、操作することが可能となる。
【００２２】
透明なＬＣレンズは、一般的に、異なる電圧が印加される同心電極に、基づいている。仮に、電極のマルチレイヤアセンブリが選択されないなら、同心要素を接続することは、複雑であり、このことは、転じて、それ自身の問題を有する。結果的に、かなり制限された同調性範囲を有する、複雑なダイレクティングスキームを、使用しなければならず、または、螺旋形状を有する絡み合った電極を、使用しなければならない。
【００２３】
ＬＣＤディスプレイにおいて一般的に要求されるπの位相遅れの代わりに、２πの最大位相遅れに達するように準備されなければならないが、ＳＬＭｓは、ＬＣＤｓの商業的生産に由来する技術に基づいている。ハイパフォーマンスＳＬＭｓは、波面のほとんどの任意調整を可能にする、ピクセルの超高密度矩形アレイに、基づいている。しかしながら、ほとんどのディスプレイは、数十μｍのピクセルサイズ（人の目の視力未満）を有する直視ディスプレイ、または、たとえばＬＣｏＳ（シリコン上の液晶）のような、透過又は反射型の投射装置、である。
【００２４】
直視装置は、一般的に、活性マトリックスにおける薄膜トランジスタ（ＴＦＴｓ）を使用し、当該ＴＦＴｓは、ディスプレイが扱う多数（数百万）もの個々のピクセルを制御するために要求される、電極の数を減らす。ディスプレイのアクティブエリアの大部分は、ＴＦＴｓおよび回路により占領され、ディスプレイのいわゆる曲線因子（光透過率）を減らす。実用において、そのような装置の分解能が制限されるというレベルまで、ピクセルの小さいサイズは、曲線因子を減少させるので、問題は、透過型の投射装置において、悪化する。反射型のＬＣｏＳ装置において、トランジスタおよびマイクロエレクトロニクス回路は、ディスプレイの後ろに設置され、曲線因子に影響を及ぼさない。
【００２５】
いずれの場合でも、制御装置は、ピクセルの上方またはアクティブエリアの下方に存し、それは、ある適用において望まれないもの（特に、ＬＣセルが、回路のマイクロおよびナノ電子要素を劣化し得る、強い電磁放射またはイオン放射にさらされる）である。
【課題を解決するための手段】
【００２６】
従来の技術に鑑みて、後述する構成可能な（および／または調整可能な）光装置、本発明の主題、が示される。
【００２７】
本発明の構成可能な光装置対象は、構成可能な光素子または直列に配置された様々な構成可能な光素子を、備える。各光素子は、光ビームに対する、入口面（または、透明基板）および出口面（または、透明基板）からなる、アクティブ領域を備える。
【００２８】
各光素子は、少なくとも一つの透明な第一の電極と、少なくとも一つの透明な対向電極（または、第二の電極）とを、含む。
【００２９】
アクティブ領域を貫通する接続トラックがないように、電極に対する電気接続を、各光素子の周辺領域に、配置する。
【００３０】
可能性のある実施の形態によれば、第一の電極の各セクションと第二の電極との間に、異なる強度で電場を生成するように、装置が構成されるように、光素子の少なくとも一つの第一の電極は、セクションに分割される。
【００３１】
各光素子の電極の異なるセクション間に電位差を印加することで、各光素子のアクティブ領域の異なる領域において転換の度合いを変える、異なる電場が生成されるように、装置は構成され、これにより、装置の光素子の各々において、変化するＯＰＬプロファイルを生成する。このことは、第一の電極のセクションに印加される電場のパターンに応じて、トポロジカルチャージおよび入射光ビームの焦点を、構成する。
【００３２】
可能性がある実施の形態によれば、光素子は、対応する電極を有する液晶セル（または、重合性液晶セル）である。液晶の代替えとして、光素子は、他の電気光学材料（電場の存在で、屈折率を変える能力を有する）と、対応する電極とから、構成されてもよい。
【００３３】
よって、各光素子の異なる領域の屈折率を局所的に変えることができる、部分的な転換（電極のセクションの数および配列に依存して）が存在する。
【００３４】
可能性のある実施の形態によれば、対向電極も、セクションで分割される。この場合において、両方の電極は、各セクションにおいて異なる電位を有するように、および、各セクションにおいて等しい電位を有するように、構成される。第一の電極のセクション分布は、対向電極のセクション分布と、異なっていてもよく、よって、異なる方法で、トポロジカルチャージおよび入射光ビームの焦点を変化させる、光路プロファイルの二つの独立したセットを生成するために、装置を再構成（調整）することができる。
【００３５】
対向電極がセクションに分割されない光素子、または、対向電極がセクションに分割される光素子、または、一つがセクションに分割された対向電極を有し、他のものがセクションに分割されない対向電極を有する、一連の光素子は、直列に配置されてもよい。
【００３６】
可能性のある実施の形態によれば、光素子は、可変らせん回折レンズとして、機能する。印加されるパターンに依存して、光路は、焦点距離およびトポロジカルチャージと共に、生成される。よって、電場の適正な第二のパターンの印加で、光素子の光路プロファイルは、第二の焦点距離および第二のトポロジカルチャージを有する、らせん回折レンズのそれと対応する一方で、電場の適正な第一のパターンの印加で、光素子の光路プロファイルは、第一の焦点距離および第一のトポロジカルチャージを有する、らせん回折レンズのそれと対応する。
【００３７】
他の可能性のある実施の形態によれば、１対の光素子は一緒に作動し、可変回折レンズを模倣する。
【００３８】
他の可能性のある実施の形態によれば、１対の光素子は一緒に作動し、可変アキシコンを模倣する。
【００３９】
他の可能性のある実施の形態によれば、１対の光素子は一緒に作動し、可変らせん回折レンズを模倣する。
【００４０】
他の可能性のある実施の形態によれば、１対の光素子は一緒に作動し、次のシステムの少なくとも二つの組合せを模倣する、レンズ、アキシコン、またはらせん位相プレート。
【００４１】
よって、対応する電場の印加で、直列に配置された隣接する光素子の少なくとも一つの光路プロファイルは、らせん回折レンズのそれと対応することができ、直列に配置された残りの隣接する光素子の少なくとも一つの光路プロファイルは、らせん位相プレートのそれと対応してもよい。
【００４２】
特定の実施の形態によれば、直列に配置された二つの隣接する光素子の第一の電極は、セクションに分割され、光素子の第一の電極のセクションの分配は、隣接する光素子の第一の電極のセクションの分配のミラーイメージである。
【００４３】
よって、対応する電場の印加で、直列に配置された二つの隣接する光素子の転換プロファイルは、反対のトポロジーを有する二つのらせん回折レンズのそれと対応し、素子の組合せは、回折レンズを模倣する。
【００４４】
他の特定の実施の形態によれば、対応する電場の印加で、直列に配置された二つの隣接する光素子の転換プロファイルは、二つのらせん回折レンズのそれと対応する。好ましくは、両方のらせん回折レンズは、お互いの間に空間を有するように、直列に配置され、これにより、両方レンズの焦点距離は一致し、調整可能なテレスコープまたはビーム拡大器として、それらを機能させることができ、トポロジカルチャージおよびレンズの焦点を変え、光素子の電極のセクションに適正なパターンの電場を印加する。
【００４５】
他の特定の実施の形態によれば、第三の素子を前の実施の形態に付加することにより、素子の組み合わせは、結果として、光のトポロジカルチャージに影響を及ぼさない装置となる。
【００４６】
可能性のある実施の形態によれば、少なくとも一つの光素子の少なくとも一つの電極は、隣接する液晶の転換の度合いに依存して変化することができる、電磁気共振周波数を有する構造を、含む。
【００４７】
一つの可能性のある実施の形態によれば、電極は、テラヘルツ、ミリメートル波、およびマイクロメートル波レンジ内の周波数に対して、電磁気共振周波数を有するポールの形状をとる。ダイポールに対する分極場の印加で、位相プロファイルは、これらの周波数に対して生成されることができ、また、当該位相プロファイルは、光ビームの形態に対して生成される。
【００４８】
本発明は、構成可能な光装置を製造する方法を、同様に考察する。
【００４９】
当該製造方法は、光素子または直列に配置された様々な光素子を、配置することを、備える。各光素子は、光ビームの入口面と出口面とからなるアクティブ領域を、備える。各光素子は、少なくとも一つの透明な第一の電極と、少なくとも一つの透明な第二の電極とを、備える。各光素子は、電極に対する電気的な接続を有し、当該電気的な接続は、アクティブ領域外側の各光素子の周辺領域内に、配置される。装置の光素子の各々は、入射光ビームのトポロジカルチャージを変化させる。当該製造方法は、各光素子の電極間に、電位差を印加することを、備える。よって、光素子の屈折率を変える電場を生成し、よって、装置の光素子の各々に、選択的な転換プロファイルを生成し、よって、入射光ビームのトポロジカルチャージを変化させる各光素子の光路プロファイルを変える。
【００５０】
好ましくは、当該方法は、光素子が液晶レンズであることを想定し、各レンズは、少なくとも一つの第一の電極と少なくとも一つの第二の電極との間に配置される、液晶セルからなる。
【００５１】
また、好ましくは、当該方法は、レンズの液晶は重合性（反応性メソゲン（ＲＭ）としても知られている）であることを、想定している。その結果、当該方法は、重合性液晶を硬化する（curing）（ＵＶ照射の手段または他の硬化方法により）可能性を備え、固定または部分的に調整可能な位相を有する変化プロファイルを伴う回折装置を、得る。
【００５２】
可能性のある実施の形態によれば、上記方法は、直列に配置された二つの隣接する光素子の電極間に、電場を印加することを備え、二つのらせん回折レンズのそれと対応する、二つの隣接する光素子の転換プロファイルを、生成する。同様に、可能性のある実施の形態によれば、上記方法は、両方のらせん回折レンズを、互いの間に空間を有するように、直列に配置することを備え、これにより、両方のレンズの焦点距離が一致し、これにより、それらを、調整可能なテレスコープまたはビーム拡大器として、機能させることができ、レンズのトポロジカルチャージを変える。
【００５３】
装置は、１以上の直列の液晶セルに基づいており、構成された電極が設けられており、これにより、全ての電極がセルの外周からアクセス可能であり、それ故独立して方向づけされることができる。本発明の部分である電極の特定のデザインにより、再構成可能なレンズが可能となり、波面補正器を製造することができる。
【００５４】
本発明の装置オブジェクトは、航空宇宙、健康、安全、輸送、通信産業などの、異なるタイプの産業に対する光装置のデザインおよび商業化の分野での適用を、有する。
【００５５】
液晶とは別に、電気光学効果を有する他の材料が存在する。ここで、電場が印加されるとき、材料の光学異方性が変化する。これらの材料において、屈折率は、当該場の方向に増加し、垂直な方向で減少する、（逆もまた同様に）傾向がある。本発明では、たとえばニオブ酸リチウムのような電気光学効果を有する材料により、またはポッケルスやカー効果を呈する液体により、ＬＣｓを置換することができる。
【発明の効果】
【００５６】
本発明は、この文脈内で提示される。本発明は、アクティブエリアの外周から方向づけされる、任意の数のピクセルを有するプロファイルのＬＣレンズを生成することができる、様々な形状を有する電極により形成される、透明装置である。当該装置は、現在の装置を超えた複数の利点を有する（最高分解能ＳＬＭｓと異なり、透明である。アクティブエリアに電極要素を欠く。電極の相互接続又は領域内の重複なしに、任意の数の個々のピクセルより、方向づけされる。電極間のギャップのみにより制限される、なかり高い曲線因子を有する。本質的に、エイリアシングを欠く。）。
【図面の簡単な説明】
【００５７】
装置の少なくとも一つの好ましい実施の形態の説明の一部として、例示および非限定の方法により次のものを示す以下の図が、盛り込まれる。
【００５８】
【図１】代表的な（クラッシックな）液晶（ＬＣ）セルの概略を示す図である。
【図２】第一の電極がセクションに分割され、ＬＣが正の誘電率異方性を有する、液晶セルの概略を示す図である。
【図３】第一の電極がセクションに分割され、ＬＣが負の誘電率異方性を有する、液晶セルの概略を示す図である。
【図４】ブルー相ＬＣの概略を示す図である。
【図５】ネマチックＬＣコミュテーション（commutation）の異なる度合い（図２および３）が、紙面の同じ面内に線形的に偏光された入射光ビームを持っている効果を概念的に示す図である。
【図６】図４で示したものと同様なブルー相ＬＣ装置における、図５で示したものと同一の状況を示す図である。
【図７】相（フレネルレンズ）（Ｃ）における回折レンズの例、当該相における厚レンズ（Ａ）のそれと同等である回折レンズの効果を、示す図である。
【図８Ａ】トポロジカルチャージ１でのらせん位相プレート（ＳＰＰｓ）の例を模式的に示す図である。
【図８Ｂ】トポロジカルチャージ２でのらせん位相プレート（ＳＰＰ）の例を模式的に示す図である。
【図９Ａ】トポロジカルチャージ１で双曲ラジカル位相変化が導入された、らせん回折レンズ（ＳＤＬ）を示す図である。
【図９Ｂ】トポロジカルチャージ２で双曲ラジカル位相変化が導入された、らせん回折レンズ、ＳＤＬ、を示す図である。
【図１０Ａ】図９Ａのらせん回折レンズ（ＳＤＬ）と直列にある、光渦を生成するらせん位相プレート（ＳＰＰ）から成る、実施の形態を示す図である。
【図１０Ｂ】図９Ｂのらせん回折レンズ（ＳＤＬ）と直列にある、光渦を生成するらせん位相プレート（ＳＰＰ）から成る、実施の形態を示す図である。
【図１１Ａ】図１０Ａに示された配置の正面図である。
【図１１Ｂ】図１０Ｂに示された配置の正面図である。
【図１２Ａ】図１１Ａに示した配置を２πセクションに分割した結果を示す図である。
【図１２Ｂ】図１１Ｂに示した配置を２πセクションに分割した結果を示す図である。
【図１３Ａ】トポロジカルチャージ１で渦を生成するために使用される単純化された８−電極構造を示す図である。
【図１３Ｂ】トポロジカルチャージ２で渦を生成するために使用される単純化された８−電極構造を示す図である。
【図１４Ａ】トポロジカルチャージ１でらせん回折レンズ（ＳＤＬ）を生成するための単純化された８−電極構造を有する回折レンズを示す図である。
【図１４Ｂ】トポロジカルチャージ２でらせん回折レンズ（ＳＤＬ）を生成するための単純化された８−電極構造を有する回折レンズを示す図である。
【図１５Ａ】トポロジカルチャージ１および−１で、直列にある二つのらせん回折レンズを示す図である。
【図１５Ｂ】トポロジカルチャージ２および−２で、直列にある二つのらせん回折レンズを示す図である。
【図１６Ａ】図１５Ａのらせん回折レンズを結合した結果を示す。
【図１６Ｂ】図１５Ｂのらせん回折レンズを結合した結果を示す。
【図１７Ａ】トポロジカルチャージ１および−１で、二つの異なるらせん回折レンズを直列に結合した様子を示す図である。
【図１７Ｂ】トポロジカルチャージ２および−２で、異なるらせん回折レンズを直列に結合した様子を示す図である。
【図１８Ａ】図１７Ａのらせん回折レンズを結合した結果を示す図である。
【図１８Ｂ】図１７Ｂのらせん回折レンズを結合した結果を示す図である。
【図１９Ａ】図１４Ａで示されたものと同様であるが、よりねじれたらせんパターンを有する、らせん回折レンズ構成を示す図である。
【図１９Ｂ】図１４Ｂで示されたものと同様であるが、よりねじれたらせんパターンを有する、らせん回折レンズ構成を示す図である。
【発明を実施するための形態】
【００５９】
上記したように、本発明は、構成可能な光装置に関する。
【００６０】
装置は、光学素子、または、好ましくは、複数の電極（４，５）を有するＬＣセルである１対の光学素子（１）に、基づく。
【００６１】
各ＬＣセルは、透明である電極（４，５）と共に、二つの透明基板（１．ｂ．１および１．ｂ．２）の間に挟まれたＬＣ（１．ａ）を有する、代表的な（classic）ＬＣセル（図１参照）のように構成され、配向層または配向剤（１．ｄ．１および１．ｄ．２）と共に取り扱われる。
【００６２】
電場が、対向電極（５）または上部電極（図に示すように）と、第一電極（４）または下部電極（図に示すように）との、間に印加されると、ＬＣは、材料の粘度、表面層（１．ｄ．１および１．ｄ．２）のアンカリング力、ＬＣ（１．ａ）の厚さ、および電場の強度に依存して、あるポイントまで配向する。
【００６３】
任意のコミュテーション（転換、commutation）プロファイルを生成するために、電極の少なくとも一方は、複数のセクション（４１）へと分離され、電極（４１）の各セクションと対向電極（５）との間に、適切な電場を印加する。
【００６４】
図２，３，４は、正のネマチックＬＣ（図２内の２．ａ）、負のネマチックＬＣ（図３内の３．ａ）、およびブルー相ＬＣ（図４内の４．ａ）における、３つの異なるコミュテーション電圧（Ｖ１＜Ｖ２＜Ｖ３）に対応する、３つの異なるコミュテーション状態を、示している。各図において、ｂおよびｄで示された層は、電極層（４，５）と共に、図１における光学素子（１）の層と類似している。ＬＣの当該状態は、楕円（楕円率は、異方性の度合いを示す）により示されており、配向は、光軸の巨視的な配向を示している。
【００６５】
ネマチックセル（図２および３）の配向層（ｄ）は、正の誘電率異方性を有する液晶の場合（図２）におけるホモジニアス配向と、負の誘電率異方性を有する液晶の場合（図３）におけるホメオトロピック配向を生成するために、条件付けされる。よって、ＬＣのコミュテーションは、基板に対して垂直な平面内で（紙面の平面における図２および３内で）、起こる。ブルー相ＬＣに対しては、配向層（図４におけるｄ）は、本質的ではない。
【００６６】
図５は、ネマチックＬＣのコミュテーションの異なる度合い（図２および３）が、紙面の同じ面内に線形的に偏光された入射光ビームを有する、効果を示す。光は、等方性媒体（５．Ｉ）から衝突し、異方性媒体（５．ＩＩ）を通過し、新たな等方性媒体（５．ＩＩＩ）へ出射する。仮に、電極（４１）のセクションの寸法が十分に小さいなら、光は、入射方向からわずかに外れた方向において、再結合する。水平な又はほぼ水平な実線は、平面入射波を仮定しているビームの進行を、示している。
【００６７】
図６は、図４で説明したブルー相ＬＣ（６．ＩＩ）を有する装置内における、図５と同じ状況を示している。この場合において、入射ビームは、偏光されることは、必要ではない。
【００６８】
本発明の装置は、光学素子（１）、または様々な光学素子（１）、または直列に組立てれたＬＣセルから、構成される。それらの各々は、相対位相差の空間分布を、入射波面に導入する。誘導された位相差は、０〜３６０°または０〜２πラジアンの範囲と同等である、０から全波長（λ）までの範囲である。問題になっている発明の実施の形態によれば、ＬＣセルは、結合されることができ、またはある距離だけ話されることもできる。第二の場合において、セルは、テレスコープやビーム拡大器のような合成光学素子を、模倣することができる。
【００６９】
各セルは、らせん回折レンズ（ＳＤＬ）またはらせん位相プレート（ＳＰＰ）と同様に、機能する。プレートの形状におけるこれらのレンズにおいて、２πラジアンの倍数のラグ間の位相等価が、使用され、このことにより、２πのラグと同等な間隔における、装置の光学厚さを低減することが可能となる。図２，３，４で示された例におけるように、位相差は、物理厚さ−周知のフレネルレンズの微視的バージョン−、または有効屈折率を、偏光することにより、達成されることができる。
【００７０】
図７は、位相（Ｃ）を有する回折レンズの例を示しており、当該位相におけるその効果は、厚レンズ（Ａ）のそれと同等である。λ／（ｎ１−ｎ２）の厚さである、セクション（Ｂ）に、レンズは切断される。ここで、ｎ１は、材料の指標であり（典型的に、ガラスは、ｎ１≒１．５）、ｎ２は、囲繞している媒体の指標である（典型的に、空気は、ｎ２≒１．０）。
【００７１】
当該回折レンズは、０〜λまでの空間ＯＰＬ変化を有するが、第一の近似において、より大きなＯＰＬ変化を有する厚レンズと同じ働きを有する。
【００７２】
回折レンズの異なる点を通って伝搬する波面の異なる領域間における、相対位相ラグδは、（２π／λ）・（ｎ１−ｎ２）・ｄである。ここで、ｄは、厚さである。各セクションは、０とλ／（ｎ１−ｎ２）との間の厚さｄに対する０と２πとの間の、相対ラグδを生成する。
【００７３】
図７に示す場合において、ラグまたはＯＰＬの差は、異なる媒体内の異なる特性内を伝搬する波面から、生じる（典型的に、空気および、ガラスまたはプラスチックレンズ）。
【００７４】
同じ空間ＯＰＬ変化は、平行な面を有するフラット装置によって、達成されることができる。ここで、ｄは一定であるが、上記それらと同等なセクションにおける屈折率の空間分布が、存在する。
【００７５】
現在、提案された装置に適用することが最も簡単な電気光学材料は、電場により転換された（commutated）ＬＣであるが、ＬＣの状態は、磁場または熱の手段によっても、変更させることができ、同じ効果を達成する。
【００７６】
ニオブ酸リチウム（ＬｉＮｂＯ３）またはポッケルスやカー効果を示す液体などの、代替の材料も存在する。当該代替の材料は、電気光学的であり、その屈折率を、電場の印加により、変えるまたは再配向することができる。
【００７７】
典型的にはＬＣから成る、再構築可能な光学素子（１）、または、典型的には、ＬＣからなり、直接であり、互いに付着され、またはある距離で配置された、様々な再構築可能な光学素子（１）により、形成された光装置に、本発明は関する。素子は、外部制御により変更することができる、ある可変の光学特性を保有する。ＬＣ素子は、らせん回折レンズ（ＳＤＬ）であり、そのトポロジカルチャージおよび焦点距離は、再構築可能である。素子の焦点距離を、有限または無限であるように、設計することができる。仮に、焦点距離が無限であるなら、ＳＤＬは、図８で示したもののように、らせん位相プレート（ＳＰＰ）へと変換する。これらのプレートの電極（４１）のセクションは、非らせん円形セクターの形を有する（図１３Ａおよび１３Ｂ）。ＳＰＰプレートの名前は、位相ラグにより適用されるらせんプロファイルを受けている。
【００７８】
有限の焦点距離を有するらせん回折レンズＳＤＬは、ＬＣセルにより製造され、電極（４１）のそのセクションは、らせんセクタの形状を有する。各セクション（４１）は、中心にとても近い原点を有し、外部周辺領域に近づくにつれて、広くなり、さらに回転する。独立したコンタクトでの直接励起により、外部制御電子機器に接続されることができるように、電極（４１）の全てのセクションは、周辺領域に達する。
【００７９】
電極（４１）のセクションのらせん形状は（図１４Ａおよび１４Ｂ参照）、二つの直列のＬＣ素子の振舞いの結果として生成された、波面の歪を決定する。二つの直列のＬＣ素子を有する装置は、電極（４１）のセクションの数に依存した忠実性で、従来の位相（図７Ｃ）を有する回折レンズを模倣することができる。素子の無限数は、理想的な位相を有する回折レンズを正確に模倣するために、必要とされる。電極（４１）のセクションの数が多くなるほど、より近似が達成される。
【００８０】
以下、本発明の異なる実施の形態について、説明する。
【００８１】
第一の好ましい実施の形態は、二つの直列の素子から成る。
【００８２】
この実施の形態において、図８Ａおよび８Ｂに示すように、再構築可能な方位可変位相プロファイルと共に、ＬＣセルの一つは、らせん位相プレート（ＳＳＰ）である。より明るい領域は、２πラジアンの差を表す一方で、最も暗いシェーディングは、ゼロラジアンの位相差に対応している。図で示されているパターンは、トポロジカルチャージ１（図８Ａ）および２（図８Ｂ）で光渦を生成する、ラグプレートに対応する。図８Ａおよび８Ｂで示されているパターンは、同じ素子の二つの構成である。
【００８３】
この実施の形態の他の再構成可能なＬＣ素子は、０と２πラジアンとの間の位相ラグプロファイルを生成する目的で、異なる電圧で励起される電極（４１）の多数のセクションによって形成される、らせん構成要素を有する。
【００８４】
図９Ａは、素子が、トポロジカルチャージ１で双曲ラジカル位相変化を導入する、らせん回折レンズ（ＳＤＬ）構成にある、ことを示す。図９Ｂの同じ素子の構成において、ラジカル位相変化も双曲であるが、トポロジカルチャージは、２であり、焦点距離は、図９Ａのそれの半分である。一般的に、焦点距離がより小さく、各らせんの回転がより大きい一方、トポロジカルチャージは、らせんの数によって、決定される。前の項目内であるように、グレースケールレンジは、０（黒）から２πラジアン（白）までの範囲のラグを示す。図９Ａおよび９Ｂに示されたパターンは、同じ素子の二つの構成である。
【００８５】
図１０は、らせん回折レンズ（ＳＤＬ）と直列にある、光渦を生成するらせん位相プレート（ＳＰＰ）から成る実施の形態を、示す。光路と通常一致する中心軸が、示されている。二つの説明された構成は、図１０Ａおよび１０Ｂに、現れる。
【００８６】
図９Ａのらせん回折レンズと図８Ａのらせん位相プレートとを直列に配置することにより、図１１Ａに示された位相プレートと同等の位相ラグが生成される。同様に、図９Ｂのらせん回折レンズと共に、図８Ｂのらせん位相プレートにより、図１１Ｂの位相プレートと同等のラグが生成される。図１１ＡおよびＢの位相ラグは、０（黒）から４πラジアン（白）までの範囲にある。
【００８７】
図１１内の分布を２πセクションにスライスすることができ、図７Ａ内のレンズと類似する態様で、２πラジアンの倍数のラグ間で位相等価性を活用する。結果として、図１２の位相分が得られる。図１２ＡおよびＢの位相ラグは、０（黒）から２πラジアン（白）までの範囲にある。
【００８８】
図１２の二つの位相差マップは、図９のらせん回折レンズ（ＳＤＬ）の定義の基礎となる双曲位相変化を伴う位相を有する、回折レンズに対応する。それゆえに、当該マップおよび、結果として二つの構成は、異なる焦点を伴う位相を有する、二つの回折レンズに対応する。
【００８９】
図８に示された、光渦を生成するらせん位相プレートを模倣するために、両方の構造に共通する各部（angular sections）（４１）状態にある電極の幾何学的形状を、用いることができる。図１３は、トポロジカルチャージ１（図１３Ａ）および２（図１３Ｂ）を生成するために使用される、電極（４）の８セクションの単純化した構成を、示す。図１３のグレースケールは、電極に印加される、異なる電場の強度を、表している。印加される場が大きいほど、グレーのレベルがより明るくなる。
【００９０】
同様に、図９のらせん回折レンズ構成は、図１４に示すように、電極（４１）のセクションの共通幾何学形状に、同じく近似することができる。前のケースにあるように、電極（４１）の８セクションを有する単純化した構成を、トポロジカルチャージ１（図１４Ａ）および２（図１４Ｂ）を生成するために、使用する。ＬＣセルの等距離位相差を生成する目的で、図１４のグレースケールは、電極（４１）のセクションに印加される、異なる電場の強度を、表している。印加される場が大きくなるほど、グレーのレベルは、より明るくなる。
【００９１】
図１４のアクティブエリアは、らせん領域まで、減少される。外部分は、両トポロジに方向づけされた電極（４１）の８セクションを観測するための、単なる視線誘導であり、電極（４１）のセクションの接続領域である可能性がある。
【００９２】
二つの直列のＬＣセル、図１３の電極（４１）のセクションのパターンを有するもの、および、図１４のパターンを有する他方のものを、組合せることにより、図１２に示したものと同様の回折レンズとして機能する装置が、達成される。焦点距離は、二つ以上の値の間で、変化されることができ、電極（４）のセクションの各々に印加される電圧を変更する。
【００９３】
達成されることができる異なる焦点距離の数は、両パターンを含む電極（４）のセクションの数によって、決定される。同様に、電極（４）のセクションの数は、より高い又はより低い忠実性を確立する。当該忠実性で、電極の離散パターンは、理想的な類似の位相変化を、再現する。図の例において、８電極のみが、簡単化のために、使用されてきた。本発明の実際の装置は、一般的に、数十又は数百の電極（４１）のセクションを、含む。
【００９４】
第二の好ましい実施の形態は、再構成可能ならせん回折レンズを形成する、電極（４１）のセクションを有する二つのＬＣセルにより、形成される。その基本的な特徴は、セルが反対のトポロジカルチャージを有することである。それらの他方が、反時計回りにおいて、位相差を増加する一方で、それらの一方は、時計回りにおいて、位相差を増加する。二つのレンズは、同じトポロジカルチャージと焦点距離で、設計される。トポロジカルチャージは相殺し、こうした理由で、結果として生じる位相は、角運動量を欠く。当該態様で、再構成可能であるという利点および周辺領域（３）又は外側部分における電極（４１）のセクションの接続と共に、従来の回折レンズのように振舞う回折レンズを得、アクティブ領域（２）又はエントリー面およびアウトレット面を有する内部部分を、自由にし、さらに接続および電機構成要素がない状態にする。
【００９５】
図１５は、二つの直列のらせん回折レンズを示す。図１５Ｂのレンズは、トポロジカルチャージ２および−２を有するように構成されている一方で、図１５Ａのレンズは、トポロジカルチャージ１および−１を有するように構成されている。
【００９６】
２πラジアンの倍数のラグ間の位相等価性を利用し、図１５Ａのらせん回折レンズを直列に結合し、出している位相差のマップを２πセクションにスライスすることにより、それらは、図１２で示したものと類似の位相差分布（１６Ａ）を、生成する。同様に、図１５Ｂのらせんレンズは、図１６Ｂに示す分布を、生成する。
【００９７】
第一の好ましい実施の形態と類似の態様で、図１４に示すように、異なる電場を印加することにより、電極（４１）のセクションの同じパターンで、図１６の両方の構成を達成することができる。
【００９８】
直列の組立てでセルの一つを回すという条件で、二つの等しい面を互いに対面させることにより、第二の好ましい実施の形態の二つのＬＣセルは、同一となり得る。これにより、らせんの回転の方向は逆転し、トポロジカルチャージのサインが各セルで反対にする。
【００９９】
第三の好ましい実施の形態において、二つの再構成可能なＬＣセルは、反対のトポロジカルチャージで構成される直列で、使用される。換言すれば、それらは、時計および半時計方向で、それぞれ位相を増加する。セルは、らせん回折レンズとして構成された電極（４１）のセクションを、有する。第二の好ましい実施の形態とは異なり、らせんの数−および結果としてトポロジカルチャージ−は、同じであるが、らせんは、同じ焦点距離を生成するようには、必ずしも調整されない。よって、出ているビームは、誘導角運動量なしに、位相差プロファイルを有する。
【０１００】
上記の二つの好ましい実施の形態は、これの特定のケースである。第一の実施の形態は、極端なケースであり、ＬＣセルの一つは、無限焦点距離を有するらせん回折レンズであり、換言すれば、らせん位相プレートである。第二のものは、両方のレンズの焦点距離が同じであるケースである。
【０１０１】
図１７は、２バイ２（tow by two）に等しいトポロジカルチャージであるが、異なるサインで、異なるらせんレンズを示す。セルの各々は、可変焦点距離を有する。図１７Ａは、トポロジカルチャージ１および−１で各々構成された二つのセルを、示す。レンズを直列に配置することにより、位相差の分布が生成され、仮に、図１２に示したもののように２πセクションにスライスされるなら、それは、図１８Ａに示すもののようならせん回折レンズを生成する。
【０１０２】
図１７Ｂは、トポロジカルチャージ２および−２で各々構成された二つのセルを、示す。レンズを直列に配置することにより、位相差の分布が生成され、仮に、図１２に示したもののように２πセクションにスライスされるなら、それは、図１８Ｂに示すもののような回折位相を有するレンズを生成する。
【０１０３】
当該第三の好ましい実施の形態において、二つのＬＣセルのアクティブ電極（４１）のセクションのパターンは、一般的に異なる。たとえば、セルの一方は、図１４に示すもののようなパターンを有することができ、他方は、図１９で示したもののような、異なる、よりねじれたパターンを有することができる。ノンゼロトポロジカルチャージに対して、図１９の素子により生成されたらせんレンズは、図１４の等価レンズよりも短い焦点距離を、有する。
【０１０４】
第四の好ましい実施の形態において、装置を形成するＬＣセルは、補完トポロジーを、必ずしも有するわけではない。結果として、等価らせん回折レンズは、二つのセルの合計のトポロジカルチャージを有するプレートである。当該実施の形態は、トポロジカルチャージが、その機能特性と関係のないシステムにおいて、適用性があってもよい。それは、中心特異点、トポロジカルチャージを有する光ビームの特徴を維持することが、重要であるシステムにおいて、また有益である。このような場合において、明らかに、トポロジカルチャージのキャンセルは、適切ではない。
【０１０５】
上記３つの好ましい実施の形態は、これの特定のケースである。
【０１０６】
第五の好ましい実施の形態において、従来の連続電極（５）又は本発明で述べた従来の電極のパターンは、液晶の励起および位相差の結果生成に、とって代わる。電極は、相互接続した共振ポールのマトリックスにより、置換される。ＷＯ  ２０１２０８０５３２  Ａ１に説明されているように、これらのポールは、典型的に、マイクロ波領域（ＧＨｚまたはＴＨｚ）の周波数で、共振する。図１で描かれたもののように、装置の構造は、同じままであり、装置は、上記で示されたものと同じ種類の位相変位パターンを、生成する。
【０１０７】
基本的な相違は、電磁波と装置との間の相互作用にある。前の実施の形態にあるように、可変インデックスを有する材料を通過するとき、位相変位は、電磁波のラグの結果でないが、可変共鳴を有する周波数で、電磁波とダイポール（または、電極のセクション）との間の相互作用の結果である。ダイポールまたはダイポールのセットの共振周波数を変えることにより、電磁波に導入される位相変位を変える。ダイポールの共振周波数−および結果として、ダイポールにより導入された位相ラグ−は、隣接するＬＣの転換状態により決定される。前述の特許にあるように、ＬＣの転換状態は、共振ダイポールを、低周波数ＡＣ電機信号および所望の電圧に接続することにより、制御される。
【０１０８】
前の実施の形態に一致して、電極（４）のセクション（４１）に対応する全てのダイポールは、ＬＣの単一転換状態により、排他的に特徴づけられる。ダイポールは、上記で示された電極（４）と同等の領域で、相互接続され、分配される。
【０１０９】
全ての前述の実施の形態において、二つの光学素子（１）又はレンズを、ノンゼロ距離で配置する、可能性がある。
【０１１０】
第六の好ましい実施の形態によれば、二つのらせん回折レンズ（ＳＤＬｓ）は、所定の距離で配置され、これにより、両方のレンズの焦点距離は、一致する。両素子のトポロジカルチャージを変え、結果として焦点距離を変えることにより、両装置間の焦点距離の一致点の位置を、変えることができる。よって、調整可能な望遠鏡またはビーム拡大器、またはより複雑な光装置を、生成することができる。望まれるなら、残った残存トポロジカルチャージを、３番目の光素子（１）、たとえばらせん位相プレートを含めることにより、除去することができる。
【０１１１】
第七の好ましい実施の形態は、全ての最も単純な実装であるが、出ているビームのトポロジカルチャージが関係ない環境に、適用されることができるのみである。これは、ＵＳ  ００５４０８２８１  Ａにあるもののような、眼内レンズの場合であってもよい。当該実施の形態は、上記で説明された特定の電極デザインおよび焦点調整装置としての最終的な適用とともに、単一素子からなり、特に、再構成可能な焦点を有するレンズの生成は、革新的な貢献を表す。
【０１１２】
ＬＣ装置は、一般的に、セルの第一の電極（４）（または、第一のプレート）における電極（４１）のセクションのパターンと、対向電極（５）またはセルの反対部にある連続電極とを、有する。当該対向電極（５）（または、第二の電極）は、地板として知られており、一連の図２，３，４に示されている。
【０１１３】
第八の好ましい実施の形態は、第五の実施の形態を差し引いた、前の実施の形態の素子のバリエーションである。当該差は、まさに、同じ光学素子（１）（図２，３，４）における第一の電極（４）のように、１以上の素子の対向電極（５）がセクション（４１）で分割される、という事実にある。しかし、対向電極（５）におけるセクションのパターンは、第一の電極（４）におけるセクション（４１）のパターンとは、異なる。
【０１１４】
当該態様において、電極の一方（４または５）は、図１４のもののような、らせんレンズに対応するパターンを有してもよく、同じセルの隣接する電極の他方（５または４）は、図１９のらせんレンズに対応するパターンを有していてもよい。
【０１１５】
電極（４および５）の二つのパターンを、同じセル内に有するなら、どの再構成可能ならせんレンズ構成が達成されるかを、ダイレクティングにより選ぶことができ、同じ電圧で互いに接続されたその全てのセクションを有するセルの、対向電極（電極（５または４））のらせんを残す。
【０１１６】
第九の好ましい実施の形態において、１以上の素子は、重合性液晶で充たされる。電場が印加される（通常、ＵＶ光の手段により）一方で、このことにより、装置は、電場で調整されることができ、硬化されることができ、これにより、ひとたび、液晶が重合化されると、固定レンズプロファイを得る。ＬＣがひとたび重合化されると、かなり精密なレンズとして、セルからレンズを取り除くことができ、そのため、当該実施の形態における電極（４および５）は、必ずしも透明である必要がない。
【０１１７】
当該実施の形態は、トポロジカルチャージの有無にかかわらず、他の固定または調整可能な光素子と接合されるように使用されることができる、固定レンズを製造する革新的な方法を表す。
【０１１８】
１以上のＬＣ素子において、電極（４）または両電極（電極および対向電極）のセクション（４１）の形状は、名目上の焦点距離に関し、および、球面収差において、レンズの特徴を決定する。双曲、球または他の二次のプロファイル、またはアキシコンを有するレンズを生成することは、自明である。電極のセクションを適切にデザインすることにより、球または他の収差を導入することも、可能である。
【０１１９】
よって、第一の電極（４）またはアクティブ電極を設計するためのプロセスは、次のようになる。
【０１２０】
適切なら、レンズは、所望のプロファイルで規定され、収差を含む。
【０１２１】
当該レンズは、０〜２πセクションにスライスされ、回折レンズに対応する。
【０１２２】
所望のトポロジーの光渦として構成されたらせん位相プレートを、当該回折レンズから、差し引く。
【０１２３】
結果のらせん回折レンズは、０〜２π間隔で、再度、スライスされる。
【０１２４】
アナログバリエーションは、使用されるであろう個々のセクション（４１）の数に従って、離散化される。
【０１２５】
個々のセクション（４１）の各々は、ＬＣセルの周辺から中心へと、延びる（セクションは、連続またはダイポールセットであってもよい）。
【０１２６】
個々のセクション（４１）の各々に対して、接触領域は、アクティブ領域の外側で規定される。
【０１２７】
二つの電極は、適切な配向層または配向剤により、製造され、取り扱われる。
【０１２８】
セルは、少なくとも一つ、または可能性として、所望のパターンを有する二つの電極（４および５）により、組立てられる。
【０１２９】
セルは、適切な複屈折率を有する所望の液晶で充たされ、密封される。
【０１３０】
電機接続を、電極の数に適するようにする。
【０１３１】
らせん回折レンズも光渦を生成するらせん位相プレートも、必ずしも同じである必要ないが、関連するなら、同様の態様で製造された他のセルと直列となるように組立られる。
【０１３２】
結果は、ＬＣ素子、または、互いに結合されて動作する、様々な再構成可能なＬＣ素子である。ここで、それらの各々およびアセンブリは、再構成可能な、自身のトポロジカルチャージおよびレンズプロファイルを有する、らせん回折プレートとみなさなければならない。
【図１】
2022500697.tif 000003
【図２】
2022500697.tif 000004
【図３】
2022500697.tif 000005
【図４】
2022500697.tif 000006
【図５】
2022500697.tif 000007
【図６】
2022500697.tif 000008
【図７】
2022500697.tif 000009
【図８Ａ】
2022500697.tif 000010
【図８Ｂ】
2022500697.tif 000011
【図９Ａ】
2022500697.tif 000012
【図９Ｂ】
2022500697.tif 000013
【図１０Ａ】
2022500697.tif 000014
【図１０Ｂ】
2022500697.tif 000015
【図１１Ａ】
2022500697.tif 000016
【図１１Ｂ】
2022500697.tif 000017
【図１２Ａ】
2022500697.tif 000018
【図１２Ｂ】
2022500697.tif 000019
【図１３Ａ】
2022500697.tif 000020
【図１３Ｂ】
2022500697.tif 000021
【図１４Ａ】
2022500697.tif 000022
【図１４Ｂ】
2022500697.tif 000023
【図１５Ａ】
2022500697.tif 000024
【図１５Ｂ】
2022500697.tif 000025
【図１６Ａ】
2022500697.tif 000026
【図１６Ｂ】
2022500697.tif 000027
【図１７Ａ】
2022500697.tif 000028
【図１７Ｂ】
2022500697.tif 000029
【図１８Ａ】
2022500697.tif 000030
【図１８Ｂ】
2022500697.tif 000031
【図１９Ａ】
2022500697.tif 000032
【図１９Ｂ】
2022500697.tif 000033
【国際調査報告】
2022500697.tif 000034
2022500697.tif 000035
2022500697.tif 000036
2022500697.tif 000037
2022500697.tif 000038
2022500697.tif 000039
2022500697.tif 000040
2022500697.tif 000041